(57)【要約】【課題】  ハンマーの左右方向の動きを規制しながら、鍵盤装置を大きくすることなく、シャーシの前後方向の剛性を十分に補強することができる鍵盤楽器の鍵盤装置を提供する。【解決手段】  複数のシャーシ２と、シャーシ２に回動自在に支持され、左右方向に並ぶ複数の鍵３および複数のハンマー４と、シャーシ２に互いに所定の間隔を隔てて左右方向に並ぶように設けられ、隣り合う２つによって、対応するハンマー４の左右方向の動きを規制する複数のガイド側壁１４と、を備え、複数のガイド側壁１４の少なくとも１つがシャーシ２から除去されており、シャーシ２に、ガイド側壁１４が除去された位置を通り、前後方向に延びるように取り付けられ、シャーシ２を補強するとともに、左右に位置するガイド側壁１４と協働して、対応するハンマー４の左右方向の動きを規制するリブ４１をさらに備えている。【選択図】  図４
2005070644.tif 000002
【特許請求の範囲】
【請求項１】
左右方向に並んだ複数のシャーシと、
当該シャーシに回動自在に支持された複数の鍵と、
前記シャーシに回動自在に支持され、左右方向に並ぶとともに、対応する前記鍵の押鍵に伴って回動する複数のハンマーと、
前記シャーシに互いに所定の間隔を隔てて左右方向に並ぶように設けられ、隣り合う２つによって、対応する前記ハンマーの左右方向の動きを規制する複数のガイド側壁と、を備え、
当該複数のガイド側壁の少なくとも１つが前記シャーシから除去されており、
当該シャーシに、前記ガイド側壁が除去された位置を通り、前後方向に延びるように取り付けられ、前記シャーシを補強するとともに、左右に位置する前記ガイド側壁と協働して、対応する前記ハンマーの左右方向の動きを規制するリブをさらに備えていることを特徴とする鍵盤楽器の鍵盤装置。
【請求項２】
前記シャーシは前記複数のガイド側壁を一体に成形した合成樹脂の成形品で構成され、前記リブは金属で構成されていることを特徴とする、請求項１に記載の鍵盤楽器の鍵盤装置。
【請求項３】
前記ガイド側壁の左右の側面には、上下方向に延びるガイド突部が一体に成形されており、前記リブの左右の側面には、前記ガイド突部に対応する位置に、合成樹脂で構成された上下方向に延びるガイド突部材が取り付けられていることを特徴とする、請求項２に記載の鍵盤楽器の鍵盤装置。
【請求項４】
前記複数のシャーシは、互いに同一の１オクターブ単位の複数の基本シャーシを含み、当該複数の基本シャーシの互いに同じ所定の位置に、前記リブが取り付けられていることを特徴とする、請求項１ないし３のいずれかに記載の鍵盤楽器の鍵盤装置。
【発明の詳細な説明】
【技術分野】
【０００１】
本発明は、電子ピアノなどに用いられる鍵盤楽器の鍵盤装置に関する。
【背景技術】
【０００２】
従来のこの種の鍵盤楽器の鍵盤装置として、例えば特許文献１に開示されたものが知られている。この鍵盤装置は、電子ピアノ用であり、図９に示すように、シャーシ８１、複数の鍵８２および複数のハンマー８３（ともに１つのみ図示）などを備えている。シャーシ８１は、ＡＢＳ樹脂などの合成樹脂から成る射出成形品であり、１オクターブ単位の６個の中間シャーシ８１ａ（図１０参照）、最低音部用シャーシおよび最高音部用シャーシ（ともに図示せず）で構成されている。中間シャーシ８１ａは、互いに同じ寸法および形状を有している。これらの複数のシャーシは、左右方向に並んだ状態で、左右方向に延びる４本の連結バー９１で連結され、棚板８４上に支持されている。また、各シャーシには、後端部に鍵支点８５が、中央部にハンマー支点８６が、その前側に第２ハンマー通過孔８７が、さらに前端部に第１ハンマー通過孔８８が、それぞれ鍵８２ごとに形成されている（図１０参照）。また、隣り合う第１ハンマー通過孔８８，８８の間は、側壁９０で仕切られている。
【０００３】
複数の鍵８２は、白鍵８２ａおよび黒鍵８２ｂで構成されており、後端部においてシャーシ８１の鍵支点８５に回動自在に支持され、シャーシ８１の上側に前後方向に延びている。ハンマー８３は、前後方向に延びており、その後部が隣り合う２つのハンマー支点８６，８６にまたがるように取り付けられ、これに回動自在に支持されている。また、ハンマー８３は、第２ハンマー通過孔８７を通って、シャーシ８１の下側を前方に延びており、前端部の左右の側面には、ハンマー８３に重さを付与するための質量板８９（１つのみ図示）がそれぞれ設けられている。また、ハンマー８３の前端部の上方には、第１ハンマー通過孔８８が臨んでいる。
【０００４】
シャーシ８１を連結した４本の連結バー９１には、これらにまたがるようにして、シャーシ８１の前後方向の剛性を補強するためのリブ９２が、１オクターブごとに所定の位置に配置され、固定されている。このリブ９２は、ハンマー８３に接触しないように、側壁９０の下方の位置に、シャーシ８１の前後方向にほぼ全体にわたって延びており、１枚の鋼板などで構成されている。
【０００５】
以上の構成により、ハンマー８３は、鍵８２の押鍵時に、後端部が鍵８２で押し下げられることによって、ハンマー支点８６を中心として、図９の時計回りに回動する。それに伴い、ハンマー８３の前端部が第１ハンマー通過孔８８を下方から通過する。
【０００６】
上記の従来の鍵盤装置では、ハンマー８３は、その後端部においてハンマー支点８６に支持されるとともに、前端部は左右方向にフリーな状態にある。このため、例えば電子ピアノをその左右を上下方向にした縦置き状態で保管した場合、ハンマー８３がハンマー支点８６から大きく垂れ下がるとともに、ハンマー支点８６から遠い位置にある質量板８９を含む自重による大きな曲げモーメントが作用することによって、ハンマー８３が変形するおそれがある。その結果、電子ピアノを平置き状態にして演奏したとき、ハンマー８３が第１ハンマー通過孔８８を通過する際に、その側壁９０に接触することで、演奏に支障を来すおそれがある。
【０００７】
このような不具合を解消するため、例えば図１１に示すように、各第１ハンマー通過孔８８の左右の側壁９０を下方に延ばし、棚板８４に固定するなどによって、ハンマー８３の左右方向の動きを規制することが考えられる。
【０００８】
しかし、この場合には、側壁９０が棚板８４まで延びているので、リブ９２を配置するスペースがなくなり、リブ９２をシャーシ８１に取り付けることができなくなる。その結果、シャーシ８１の前後方向の剛性が不足し、ハンマー８３の重さなどによって、シャーシ８１がたわみ、演奏に支障を来すおそれがある。また、シャーシ８１を補強するために、リブ９２または他の補強用の部材を側壁９０の下方以外の位置に配置した場合には、鍵盤装置が大型化するなどの問題がある。
【０００９】
本発明は、上記課題を解決するためになされたものであり、ハンマーの左右方向の動きを規制しながら、鍵盤装置を大きくすることなく、シャーシの前後方向の剛性を十分に補強することができる鍵盤楽器の鍵盤装置を提供することを目的とする。
【００１０】
【特許文献１】特開２０００−１２２６５４号公報（第５〜６頁、第１図および第３図）
【発明の開示】
【課題を解決するための手段】
【００１１】
この目的を達成するために、請求項１に係る鍵盤楽器の鍵盤装置は、左右方向に並んだ複数のシャーシと、シャーシに回動自在に支持された複数の鍵と、シャーシに回動自在に支持され、左右方向に並ぶとともに、対応する鍵の押鍵に伴って回動する複数のハンマーと、シャーシに互いに所定の間隔を隔てて左右方向に並ぶように設けられ、隣り合う２つによって、対応するハンマーの左右方向の動きを規制する複数のガイド側壁と、を備え、複数のガイド側壁の少なくとも１つがシャーシから除去されており、シャーシに、ガイド側壁が除去された位置を通り、前後方向に延びるように取り付けられ、シャーシを補強するとともに、左右に位置するガイド側壁と協働して、対応するハンマーの左右方向の動きを規制するリブをさらに備えていることを特徴とする。
【００１２】
この鍵盤楽器の鍵盤装置によれば、シャーシに左右方向に並ぶように複数のガイド側壁が設けられており、これらのうちの隣り合う各２つのガイド側壁によって、対応するハンマーの左右方向の動きが規制される。これにより、例えば、鍵盤楽器を保管などのために縦置き状態にした場合に、ハンマーが、自重により上下方向（平置き状態の左右方向）に垂れ下がろうとしても、下側のガイド側壁に当たることによって、それ以上の下方への動きが規制される。このように、ハンマーがほとんど垂れ下がることなくガイド側壁に支持されるので、自重によりハンマーに作用する曲げモーメントが低減されることによって、ハンマーの変形を抑制することができる。その結果、鍵盤楽器の演奏を支障なく行うことができる。
【００１３】
また、複数のガイド側壁のうちの少なくとも１つのガイド側壁がシャーシから除去されており、その部分に前後方向に延びるリブが配置されるので、シャーシにリブを取り付けることが可能になる。したがって、シャーシの前後方向の剛性をリブで補強することできる。その結果、リブを取り付けるための新たなスペースの確保が不要になるので、鍵盤装置の大型化を防止することができる。
【００１４】
さらに、リブは、シャーシの剛性を補強するだけでなく、除去されたガイド側壁の代わりに、その左右に位置するガイド側壁と協働することによって、対応するハンマーの左右方向の動きを規制する。このように、リブは、シャーシを補強する機能と、ガイド側壁としての機能を兼ね備えるので、その分、部品点数を削減できる。その結果、鍵盤装置の製造コストを削減することができる。
【００１５】
請求項２に係る発明は、請求項１に記載の鍵盤楽器の鍵盤装置において、シャーシは複数のガイド側壁を一体に成形した合成樹脂の成形品で構成され、リブは金属で構成されていることを特徴とする。
【００１６】
この構成によれば、シャーシが合成樹脂の成形品で構成されるので、任意の形状およびばらつきのない強度特性を有するシャーシを容易に作製できる。さらに、ガイド側壁も一体に成形されるので、シャーシにガイド側壁を取り付ける作業が不要になり、それにより、製造コストを削減することができる。また、金属製のリブにより、シャーシの剛性が十分に補強されるので、鍵やハンマーからシャーシに大きな力が作用した場合でも、シャーシのたわみを防止することができる。その結果、鍵盤楽器の演奏を支障なく行うことができる。
【００１７】
請求項３に係る発明は、請求項２に記載の鍵盤楽器の鍵盤装置において、ガイド側壁の左右の側面には、上下方向に延びるガイド突部が一体に成形されており、リブの左右の側面には、ガイド突部に対応する位置に、合成樹脂で構成された上下方向に延びるガイド突部材が取り付けられていることを特徴とする。
【００１８】
この構成によれば、演奏時に、ハンマーが左右方向にぶれたとしても、ハンマーは、上下方向に延びるとともに、合成樹脂で構成されたガイド突部またはガイド突部材にのみ接触する。したがって、ハンマーがガイド側壁またはリブの側面に接触する場合よりも、ハンマーとの接触面積が小さくなるとともに、摩擦が小さくなる。その結果、鍵のタッチ感の悪化や雑音の発生を防止することができる。特に、金属などで構成されるリブにハンマーが接触しないため、金属音などの発生も防止できる。さらに、ガイド側壁の左右の側面にガイド突部が一体に成形されているので、ガイド側壁にガイド突部を取り付ける作業が不要になり、製造コストを削減することができる。また、ガイド突部材は、ガイド突部と同様、合成樹脂で構成されているので、ガイド突部と協働してハンマーをバランス良く案内できるとともに、偏磨耗なども防止することができる。
【００１９】
請求項４に係る発明は、請求項１ないし３のいずれかに記載の鍵盤楽器の鍵盤装置において、複数のシャーシは、互いに同一の１オクターブ単位の複数の基本シャーシを含み、複数の基本シャーシの互いに同じ所定の位置に、リブが取り付けられていることを特徴とする。
【００２０】
この構成によれば、シャーシの大部分を互いに同一の１オクターブ単位の複数の基本シャーシで構成できる。また、リブを基本シャーシの同じ位置に配置するので、除去すべきガイド側壁の位置も同じになり、除去すべきガイド側壁の部分を含めて基本シャーシを共通の金型であらかじめ作製でき、その結果、鍵盤装置の製造コストをさらに削減することができる。
【図面の簡単な説明】
【００２１】
【図１】本発明の実施形態による電子ピアノの鍵盤装置の離鍵状態の側断面図である。
【図２】図１の鍵盤装置の押鍵状態の側断面図である。
【図３】基本シャーシの（ａ）平面図および（ｂ）側断面図である。
【図４】基本シャーシにリブを取り付けた平面図である。
【図５】図４の部分拡大平面図である。
【図６】リブの（ａ）平面図および（ｂ）側面図である。
【図７】最低音部用シャーシの平面図である。
【図８】最高音部用シャーシの平面図である。
【図９】従来の電子ピアノの鍵盤装置の側断面図である。
【図１０】従来のシャーシの平面図である。
【図１１】図９の鍵盤装置に対して、側壁を上下方向に延ばした例を示す部分拡大側断面図である。
【発明を実施するための最良の形態】
【００２２】
以下、本発明の好ましい実施形態を、図面を参照しながら、詳細に説明する。図１および図２は、本発明の一実施形態による電子ピアノの鍵盤装置を示している。この鍵盤装置１は、８８鍵用のものであり、シャーシ２と、シャーシ２の後端部に回動自在に取り付けられた、白鍵３ａおよび黒鍵３ｂからなる８８個の鍵３（白鍵３ａおよび黒鍵３ｂの各１個のみ図示）と、シャーシ２の中央部に回動自在に取り付けられたハンマー４などを備えている。
【００２３】
シャーシ２は、図３に示す６個の基本シャーシ２ａ（１つのみ図示）と、図７に示す最低音部用シャーシ２ｂと、図８に示す最高音部用シャーシ２ｃの、計８個のシャーシにより分割構成され、左右方向に並んだ状態で棚板５上に支持されている。
【００２４】
図３（ａ）に示すように、各基本シャーシ２ａには、鍵３やハンマー４を支持するための後述する支点や孔の列が、鍵３ごとに左右方向に並ぶように設けられている。具体的には、左側から順に、Ｆ鍵用からＥ鍵用までの１２列（以下、適宜「Ｆ列」「Ｅ列」などという）、すなわち１オクターブ分の列が形成されており、各列には、対応する鍵３およびハンマー４などが取り付けられる。また、各基本シャーシ２ａは、互いに同じ寸法および形状を有し、同一の金型で成形された合成樹脂（例えばＡＢＳ樹脂）の射出成形品で構成されている。
【００２５】
図７および図８に示すように、最低音部用および最高音部用シャーシ２ｂ，２ｃは、基本シャーシ２ａの一部として構成されている。具体的には、最低音部用シャーシ２ｂは、基本シャーシ２ａを図３（ａ）に示すＸ−Ｘ’に沿って切断した右側の部分で構成される。一方、最高音部用シャーシ２ｃは、基本シャーシ２ａを同図に示すＹ−Ｙ’に沿って切断した左側の部分で構成される。
【００２６】
以上計８個のシャーシ２ａ〜２ｃは、図１に示すように、シャーシ２の下部を左右方向に延びる４本の連結バー６に、シャーシ２の上方から通したねじ７で固定されることによって、連結バー６に左右方向に並んだ状態で連結されている。なお、後ろ側（図１の右側）から２番目の連結バー６のみ、下方からねじ７でシャーシ２に固定されている。各連結バー６は、シャーシ２の左右方向の全体にわたる長さの細い１本のアングル状のものであり、複数の孔（図示せず）を有し、例えば鋼板の曲げ加工によって形成されている。
【００２７】
図３に示すように、基本シャーシ２ａの各列には、後端部に鍵３を支持する鍵用軸孔８が、中央部にハンマー用軸穴９が、さらに、前部およびハンマー用軸穴９の前後には、回動するハンマー４が通過する第１〜第３ハンマー通過孔１０ａ〜１０ｃが、第１ハンマー通過孔１０ａの後ろ側には、回動する鍵３のストッパ部１１が通過する鍵通過孔１２が形成されている。さらに、基本シャーシ２ａには、第１ハンマー通過孔１０ａの前側で各白鍵３ａに相当する位置に白鍵用ガイド１３ａが、鍵通過孔１２の後ろ側で各黒鍵３ｂに相当する位置に黒鍵用ガイド１３ｂが、それぞれ立設されている。
【００２８】
基本シャーシ２ａの前端部には、１２個のガイド側壁１４が左右方向に等間隔に並ぶように形成されており、隣り合う各２つのガイド側壁１４，１４の間には、第１ハンマー通過孔１０ａが形成されている。基本シャーシ２ａのＢ列とＣ列の間の部分には、ガイド側壁１４は形成されておらず、その部分に、ガイド側壁１４に代えて、後述するリブ４１が配置されるようになっており、このリブ４１とその左右の各ガイド側壁１４との間に、第１ハンマー通過孔１０ａが形成される。
【００２９】
また、複数のガイド側壁１４のうちの、左右両端に位置するもの（以下、適宜「端部ガイド側壁１４ａ」という）は、他のガイド側壁１４の約半分の厚さを有しており、この端部ガイド側壁１４ａと、この基本シャーシ２ａに連結された他のシャーシの端部ガイド側壁１４ａによって、１つのガイド側壁１４が形成される。以上の結果、連結されたシャーシ２の全体にわたり、第１ハンマー通過孔１０ａが所定の間隔で左右方向に並ぶように形成されている。
【００３０】
図３（ｂ）に示すように、各ガイド側壁１４は、基本シャーシ２ａに一体に成形されるとともに上下方向に延びており、逆三角形の側面形状を有している。また、基本シャーシ２ａには、左側の端部ガイド側壁１４ａからＢ列の左側のガイド側壁１４までの下端部間、およびＣ列の右側のガイド側壁１４から右側の端部ガイド側壁１４ａまでの下端部間を互いに連結するように、２本の側壁連結バー１５が、同一直線上にそれぞれ設けられるとともに、棚板５上に載置されている。さらに、各ガイド側壁１４の左右の側面、および各端部ガイド側壁１４ａの内側の側面には、側壁連結バー１５からガイド側壁１４の上端まで連続的に延びる断面半円形状のガイド突部１６が設けられている。これらの側壁連結バー１５およびガイド突部１６は、基本シャーシ２ａに一体に成形されており、第１ハンマー通過孔１０ａの中央よりもやや前寄りに配置されている。そして、Ｂ列およびＣ列を除き、各第１ハンマー通過孔１０ａの両側のガイド側壁１４，１４と、それらの各内側面のガイド突部１６，１６によって、ハンマー４の左右方向の動きを規制するためのガイド部１７が構成されている。
【００３１】
また、基本シャーシ２ａのＢ列に相当する部分には、４本の連結バー６にそれぞれ対応する位置（図１参照）に、４つのリブ固定孔１８が、前後方向に並ぶように形成されている。図４に示すように、基本シャーシ２ａには、これらのリブ固定孔１８を介して、補強用のリブ４１が取り付けられており、このリブ４１は、Ｂ列とＣ列の間を前後方向に延びている。図６に示すように、リブ４１は、前後方向に延びるリブ本体４２と、これに取り付けられたガイド突部材４６で構成されている。リブ本体４２は、鋼板などで構成され、曲げプレス加工などによって形成されており、その厚さは、ガイド側壁１４の厚さに等しい。また、リブ本体４２の上端部には、前後方向に間隔を隔てた所定の４箇所に、水平な取付部４３がそれぞれ形成されており、各取付部４３には、取付孔４４が形成されている。そして、図１に示すように、ねじ７を、リブ４１の各取付孔４４および対応する連結バー６の孔を介して、リブ固定孔１８に下方からねじ込むことによって、リブ４１が基本シャーシ２ａに取り付けられている。
【００３２】
また、リブ本体４２の前端に近い部分は、上方に突出していて、ハンマーガイド部４５になっている。このハンマーガイド部４５は、Ｂ列とＣ列の間で、ガイド側壁１４としての機能を果たすものであり、図１に示すように、ガイド側壁１４と等しい高さを有するとともに、その左右の側面には複数の取付用の孔（図示せず）が形成されている。
【００３３】
図５および図６に示すように、ガイド突部材４６は、上下方向に延びる矩形の板状のものであり、その中央にガイド突部４７が一体に形成されており、ガイド突部１６と同じ材質の合成樹脂で構成されている。また、ガイド突部材４６は、ハンマーガイド部４５と等しい高さを有し、ガイド突部４７と反対側の面には、複数の取付用の突起（図示せず）が設けられている。これらの複数の突起がハンマーガイド部４５の対応する複数の孔に嵌め込まれることによって、ガイド突部材４６は、ハンマーガイド部４５に固定されている。この状態で、ガイド突部材４６，４６のガイド突部４７，４７が、その左右のガイド側壁１４，１４のガイド突部１６，１６に対向する。また、リブ４１からのガイド突部４７の突出長さは、ガイド側壁１４からのガイド突部１６の突出長さに等しい。
【００３４】
図５に示すように、以上のようにして取り付けられたリブ４１と、その左右のガイド側壁１４，１４との間に、Ｂ列およびＣ列の第１ハンマー通過孔１０ａがそれぞれ形成されている。そして、Ｂ列およびＣ列では、これらのガイド側壁１４およびハンマーガイド部４５と、それらの各内側面のガイド突部１６およびガイド突部材４６によって、対応するハンマー４の左右方向の動きを規制する２つのガイド部１７がそれぞれ構成されている。
【００３５】
また、最低音部用シャーシ２ｂおよび最高音部用シャーシ２ｃのＢ列とＣ列の間にも同様に、リブ４１が取り付けられ、ガイド部１７が同様に構成される。
【００３６】
また、図１に示すように、シャーシ２には、鍵３およびハンマー４の回動を上下方向において規制するために、白鍵用下限ストッパ２１ａ、黒鍵用下限ストッパ２１ｂ、鍵上限ストッパ２２、ハンマー下限ストッパ２３、およびハンマー上限ストッパ２４が設けられている。黒鍵用下限ストッパ２１ｂおよび鍵上限ストッパ２２は、鍵通過孔１２と黒鍵用ガイド１３ｂの間の同じ位置に、シャーシ２を挟むようにしてシャーシ２の上面および下面にそれぞれ取り付けられている。また、ハンマー下限ストッパ２３は、前側の連結バー６の下端部に取り付けられている。さらに、白鍵用下限ストッパ２１ａおよびハンマー上限ストッパ２４は、白鍵用ガイド１３ａの後ろ側の位置に、シャーシ２を挟むようにしてシャーシ２の上面および下面にそれぞれ取り付けられている。これらのストッパ２１〜２４はいずれも、シャーシ２の左右方向の全体に渡る１本の帯状の緩衝材で構成されている。
【００３７】
さらに、シャーシ２のハンマー用軸穴９の後ろ側には、鍵３の押鍵情報を検出するための鍵スイッチ２５が設けられている。この鍵スイッチ２５は、シャーシ２にねじ止めされたプリント基板２６と、その上面に設けられたスイッチ本体２７を備えている。スイッチ本体２７は、シャーシ２の第３ハンマー通過孔１０ｃに下方から臨んでおり、プリント基板２６を介して、電子ピアノの発音を制御する制御装置（図示せず）に接続されている。
【００３８】
鍵３（白鍵３ａおよび黒鍵３ｂ）は、例えばＡＳ樹脂の射出成形品で構成されており、両側壁３ｃ（一方のみ図示）と天壁３ｄからなる逆Ｕ字形の断面を有している。鍵３の両側壁３ｃの後端部には、内方に突出する突起３１が形成されていて、この突起３１がシャーシ２の後端部の鍵用軸孔８に係合することによって、鍵３がシャーシ２に回動自在に支持されている。また、鍵３には、その両側壁３ｃの前部から下方に延びるフック状の鍵ストッパ部１１が形成されている。
【００３９】
一方、ハンマー４は、前後方向に延びるハンマー本体３２と、ハンマー本体３２の前端部の左右の側面に取り付けられた２枚の質量板３３（１枚のみ図示）とで構成されている。ハンマー本体３２の後端部には、両側方に突出するピン状の突起３４が形成されている。この突起３４が、シャーシ２の列間にそれぞれ形成されたハンマー用軸穴９の隣接する２つにまたがるように係合することによって、ハンマー４がシャーシ２に回動自在に支持されている。質量板３３は、ハンマー４にアコースティックピアノと同様のタッチ重さを付与するためのものであり、鋼板などの重い材料で構成されている。また、各質量板３３の側面の下部には、ガイド突部１６およびガイド突部材４６に対応する部位に矩形のクッション材３８が設けられている。このクッション材３８は、ガイド突部１６やガイド突部材４６に接触する際に、摺動性を持たせるとともに、雑音の発生を防止する役割を果たすものである。
【００４０】
ハンマー本体３２のハンマー用軸穴９よりも後ろ側の部分は、スイッチ押圧部３５になっており、このスイッチ押圧部３５は、シャーシ２の第３ハンマー通過孔１０ｃに臨み、鍵スイッチ２５のスイッチ本体２７に上方から対向するとともに、このスイッチ押圧部３５に、鍵３の下面に設けられたアクチュエータ部３６が上方から当接している。また、ハンマー４は、その中央部がシャーシ２の第２ハンマー通過孔１０ｂを上下に横切ってシャーシ２の下側を前方に延びており、その前端にはハンマーストッパ部３７が前方に突出して形成されている。
【００４１】
以上の構成により、ハンマー４は、鍵３の押鍵時に、スイッチ押圧部３５が鍵３のアクチュエータ部３６で押圧されることによって、図１の時計方向に回動し、前端部の質量板３３が第１ハンマー通過孔１０ａを下方から通過する。その際、ハンマー４の左右方向の動きは、ガイド部１７によって規制される。すなわちガイド側壁１４やハンマーガイド部４５、およびガイド突部１６やガイド突部材４６によって規制される。
【００４２】
また、ハンマー４の回動に伴い、そのスイッチ押圧部３５が、鍵スイッチ２５のスイッチ本体２７を押下し、オン動作させることによって、鍵３の押鍵情報が検出され、その結果に応じて、制御装置により電子ピアノの発音が制御される。
【００４３】
以上のように、本実施形態の電子ピアノの鍵盤装置１によれば、シャーシ２の前端部に設けられたガイド部１７によって、ハンマー４の左右方向の動きを規制することができる。したがって、例えば電子ピアノを保管などのために縦置きにした場合、ハンマー４の自重による垂れ下がりを、ガイド部１７によって防止することができる。このように、ハンマー４がほとんど垂れ下がることなくガイド部１７に支持されるので、自重によりハンマー４に作用する曲げモーメントが低減されることによって、ハンマー４の変形を抑制することができる。その結果、電子ピアノの演奏を支障なく行うことができる。また、演奏時にハンマー４が左右方向にぶれたとしても、ハンマー４は、上下方向に延びる断面半円形状のガイド突部１６またはガイド突部材４６にのみ接触するため、より大きなガイド側壁１４またはハンマーガイド部４５に接触する場合よりも接触面積が小さく、接触による摩擦も小さいので、鍵３のタッチ感の悪化や雑音の発生を防止することができる。特に、鋼板で構成されるリブ４１に、ハンマー４の鋼製の質量板３３が接触しないため、金属音の発生を防止できる。
【００４４】
ガイド突部材４６は、ガイド突部１６と同様、合成樹脂で構成されているので、ガイド突部１６と協働してハンマー４をバランス良く案内できるとともに、偏磨耗なども防止することができる。
【００４５】
また、ガイド側壁１４が除去されたシャーシ２のＢ列とＣ列の間に、前後方向に延びるリブ４１が配置されるので、シャーシ２の前後方向の剛性を補強することができる。したがって、鍵３やハンマー４からシャーシ２に大きな力が作用した場合でも、鋼板で構成されているリブ４１により、シャーシ２のたわみを防止することができる。また、リブ４１を取り付ける新たなスペースの確保が不要になるので、鍵盤装置１の大型化を防止することができる。
【００４６】
さらに、リブ４１は、シャーシ２の剛性を補強するだけでなく、除去されたガイド側壁１４の代わりに、その左右に位置するガイド側壁１４と協働することによって、対応するハンマー４の左右方向の動きを規制する。このように、リブ４１は、シャーシ２を補強する機能と、ガイド側壁１４としての機能を兼ね備えるので、その分、部品点数を削減できる。その結果、鍵盤装置１の製造コストを削減することができる。
【００４７】
また、ガイド側壁１４、ガイド部連結バー１５およびガイド突部１６がシャーシ２に一体に成形されているので、シャーシ２にそれらを取り付ける作業が不要になる。したがって、製造コストを削減することができる。さらに、シャーシ２が合成樹脂の成形品で構成されるので、任意の形状およびばらつきのない強度特性を有するシャーシ２を容易に作製できる。
【００４８】
また、各基本シャーシ２ａにおいて、Ｂ列とＣ列の間にリブ４１が配置されるので、それらの列間のガイド側壁１４をあらかじめ除去した１オクターブ単位の基本シャーシ２ａを作製できる。したがって、基本シャーシ２ａを共通の金型で作製することができる。さらに、最低音部用シャーシ２ｂおよび最高音部用シャーシ２ｃは、基本シャーシ２ａを所定のラインに沿って切断することで作製される。したがって、すべてのシャーシ２ａ〜２ｃを、１つの共通の金型を用いて作製することができる。その結果、鍵盤装置１の製造コストをさらに削減することができる。
【００４９】
なお、本発明は、説明した実施形態に限定されることなく、種々の態様で実施することができる。例えば、本実施形態では、ガイド突部材４６をハンマーガイド部４５に嵌め込みによって固定しているが、接着によって固定してもよい。また、ガイド突部材４６の材質は、合成樹脂でなくてもよく、例えばゴムでもよい。さらに、実施形態で例示したＢ列とＣ列の間以外の位置において、ガイド側壁１４を除去し、リブ４１を取り付けてもよい。例えば、基本シャーシ２ａの左右の端部ガイド側壁１４ａ，１４ａを除去し、その部分にリブ４１を取り付けてもよい。また、実施形態は、本発明を電子ピアノに適用した例であるが、本発明は、これに限らず、シンセサイザなどの他のタイプの電子楽器に適用することも、もちろん可能である。その他、本発明の趣旨の範囲内で、細部の構成を適宜、変更することが可能である。
【符号の説明】
【００５０】
１  鍵盤装置
２  シャーシ
２ａ  基本シャーシ
３  鍵
４  ハンマー
１４  ガイド側壁
１４ａ  端部ガイド側壁（ガイド側壁１４）
１６  ガイド突部
４１  リブ
４６  ガイド突部材
【図１】
2005070644.tif 000003
【図２】
2005070644.tif 000004
【図３】
2005070644.tif 000005
【図４】
2005070644.tif 000006
【図５】
2005070644.tif 000007
【図６】
2005070644.tif 000008
【図７】
2005070644.tif 000009
【図８】
2005070644.tif 000010
【図９】
2005070644.tif 000011
【図１０】
2005070644.tif 000012
【図１１】
2005070644.tif 000013